(57)【要約】【課題】使用前に特別な操作をすることなく、連続的に表示される画像から任意の画像を表示する画像再生装置を得る。【解決手段】動画が再生されているときにユーザが再生・一時停止ボタンを操作すると、制御装置は動画停止処理を実行することにより、動画の再生を一時的に停止する。動画は例えば１秒間当たり３０のフレームにより構成される。動画再生が一時的に停止されると、動画の連続する１５フレームが各々縮小されて１５枚の静止画像として表示領域に表示される。各フレームどうしの間隔は１フレームである。１５枚の静止画像は時系列に従い昇順で並べられ、時系列順に矢印で繋がれる。その中心の静止画像２１１は、ユーザが再生・一時停止ボタンを操作しようと思った瞬間に再生していたフレームの静止画像ではなく、再生していたフレームからタイムラグ量ΔＴだけ巻き戻したフレームの静止画像（第１の目的画像）である。【選択図】図３
2009130683.tif 000002
【特許請求の範囲】
【請求項１】
複数の画像を連続的に表示する表示手段と、
前記表示手段に表示された画像から第１および第２の画像を選択する画像選択手段と、
前記第１の画像と前記第２の画像との間隔を検出する間隔検出手段と、
前記間隔を記憶する記憶手段と、
前記記憶手段に記憶された前記間隔を更新する間隔更新手段とを備え、
前記表示手段は、前記第１の画像が選択されたとき前記間隔分ずらした目的画像を表示する画像再生装置。
【請求項２】
前記表示手段はユーザが撮影した動画を表示し、
前記画像選択手段は、前記表示手段に表示された動画から第１および第２の画像を選択する請求項１に記載の画像再生装置。
【請求項３】
前記間隔は動画のフレーム数である請求項２に記載の画像再生装置。
【請求項４】
前記第１の画像が選択されたとき、前記表示手段は、前記目的画像と前記目的画像の前後に撮像された複数の画像とを同時に表示する請求項２に記載の画像再生装置。
【請求項５】
前記表示手段は、前記目的画像を他の画像よりも大きく表示する請求項４に記載の画像再生装置。
【請求項６】
前記表示手段は、前記目的画像と前記目的画像の前後に撮像された複数の画像とを撮影された時系列の順に並べて表示する請求項４に記載の画像再生装置。
【請求項７】
前記表示手段は、前記目的画像と前記目的画像の直前直後に並べられた２つの画像とを他の画像よりも大きく表示する請求項５に記載の画像再生装置。
【請求項８】
前記間隔検出手段は、第１および第２の画像が選択されるごとに前記間隔を検出し、検出された複数の前記間隔の平均間隔を算出し、
前記表示手段は、前記第１の画像が選択されたとき前記平均間隔分ずらした画像を表示する請求項１に記載の画像再生装置。
【請求項９】
前記画像再生装置は、前記画像再生装置を使用するユーザを判別するユーザ判別手段をさらに備え、
前記記憶手段は前記ユーザ判別手段が判別したユーザと関連付けて前記間隔を記憶し、
前記表示手段は、前記画像再生装置を使用しているユーザに関連付けられた前記間隔分をずらした画像を表示する請求項８に記載の画像再生装置。
【請求項１０】
前記間隔は時間である請求項１に記載の画像再生装置。
【発明の詳細な説明】
【技術分野】
【０００１】
本発明は、連続的に表示される画像の中から任意の画像を選択可能な画像再生装置に関する。
【背景技術】
【０００２】
画像再生装置は、連続的に画像を表示する表示装置と、表示された画像から任意の画像を選択するための選択手段とを備える。ユーザは、表示装置に表示された画像を見て、意図する画像を見つけたときに選択手段を操作して任意の画像を選択する。
【０００３】
画像が高速で更新されている場合、ユーザの選択動作が遅れて、意図した画像を選択できない場合がある。そこでユーザが意図した画像を選択できるようにするために、試験用画像を用いて予めユーザ固有の遅れ時間を測定し、ユーザが選択動作を行ったときに遅れ時間を考慮して画像を選択する画像再生装置が知られている（特許文献１）。
【特許文献１】特開２００１−１７５２８１号公報
【発明の開示】
【発明が解決しようとする課題】
【０００４】
しかし、従来の構成では、使用前に試験用画像を用いてユーザ毎に遅れ時間を測定しなければならず、ユーザにとって煩雑である。また、予め試験用画像を用意し画像再生装置に記憶しておく必要がある。さらに、一度遅れ時間を測定するとその後変更できず、遅れ時間を変更するときは再度測定を行わなければならない。
【０００５】
本発明はこれらの問題に鑑みてなされたものであり、使用前に特別な操作をすることなく、連続的に表示される画像から任意の画像を表示する画像再生装置を得ることを目的とする。
【課題を解決するための手段】
【０００６】
本発明による画像再生装置は、複数の画像を連続的に表示する表示手段と、表示手段に表示された画像から第１および第２の画像を選択する画像選択手段と、第１の画像と第２の画像との間隔を検出する間隔検出手段と、間隔を記憶する記憶手段と、記憶手段に記憶された間隔を更新する間隔更新手段とを備え、表示手段は、第１の画像が選択されたとき間隔分ずらした目的画像を表示することを特徴とする。
【０００７】
表示手段はユーザが撮影した動画を表示し、画像選択手段は、表示手段に表示された動画から第１および第２の画像を選択することが望ましい。
【０００８】
間隔は動画のフレーム数、又は時間が好適である。
【０００９】
第１の画像が選択されたとき、表示手段は、目的画像と目的画像の前後に撮像された複数の画像とを同時に表示することが望ましい。これにより、目的画像と目的画像の前後に撮像された複数の画像の中から第２の画像を選択することが容易になる。
【００１０】
表示手段は、目的画像を他の画像よりも大きく表示しても良い。これにより目的画像を詳細に観察することが容易になる。
【００１１】
表示手段は、目的画像と目的画像の前後に撮像された複数の画像とを撮影された時系列の順に並べて表示することが望ましい。これにより、複数の画像の中から第２の画像を選択することが容易になる。
【００１２】
表示手段は、目的画像と目的画像の直前直後に並べられた２つの画像とを他の画像よりも大きく表示しても良い。これにより目的画像と目的画像の直前直後に並べられた２つの画像とを詳細に観察することが容易になる。
【００１３】
間隔検出手段は、第１および第２の画像が選択されるごとに間隔を検出し、検出された複数の間隔の平均間隔を算出し、表示手段は、第１の画像が選択されたとき平均間隔分ずらした画像を表示することが望ましい。これにより画像再生装置は間隔を学習して、第１の画像が選択されたときに目的画像を正確に表示することが可能になる。平均間隔は、相加平均又は加重平均により算出される。
【００１４】
画像再生装置は、画像再生装置を使用するユーザを判別するユーザ判別手段をさらに備え、記憶手段はユーザ判別手段が判別したユーザと関連付けて間隔を記憶し、表示手段は、画像再生装置を使用しているユーザに関連付けられた間隔分をずらした画像を表示することが望ましい。これにより画像再生装置はユーザ毎に間隔を学習して、第１の画像が選択されたときに目的画像を正確に表示することが可能になる。
【発明の効果】
【００１５】
本発明によれば、使用前に特別な操作をすることなく、連続的に表示される画像から任意の画像を表示する画像再生装置を得ることができる。
【発明を実施するための最良の形態】
【００１６】
以下、本発明における画像再生装置の第１の実施形態について添付図面を参照して説明する。
【００１７】
図１から３を用いて画像再生装置１０の構成について説明する。
【００１８】
画像再生装置１０は、制御装置１１と、動画を表示する表示画面１２と、動画等を記憶する記憶装置１３と、画像再生装置１０の電源の投入・切断を制御する電源スイッチ１４と、制御装置１１に情報を入力するための複数の操作手段１５、１６、１７とから主に構成される。
【００１９】
複数の操作手段１５、１６、１７は、キーボード１５、マウス１６、及び学習ボタン１７により構成される。ユーザが電源スイッチ１４を操作して画像再生装置１０の電源を投入すると、制御装置１１は後述するユーザ判別処理を実行し、画像再生装置１０を使用するユーザを判別する。そして、制御装置１１は記憶装置１３から動画を読み出し、表示画面１２に表示する。
【００２０】
表示画面１２は、動画を表示する動画表示領域２１０と、操作ボタンを表示する操作領域２２０と、現在の動画の表示位置を表示するスクロールバー２３０とを有する。操作領域２２０には、動画の再生を開始し、又は動画再生時に動画の再生を一時停止するための再生・一時停止ボタン２２１、動画再生を停止するための停止ボタン２２２、動画の再生を早送りするための第１の早送りボタン２２３、動画の巻き戻し再生を行う第１の巻き戻しボタン２２４、次の動画を再生するための送りボタン２２５、前の動画を再生するための戻しボタン２２６が表示される。ユーザはマウス１６を用いてこれらのボタンを操作し、動画を観察する。
【００２１】
スクロールバー２３０は、動画ファイルの再生時間全体を示すスルーバー２３１と、画像の再生位置を示すスライダ２３２と、スクロールバー２３０の両端に設けられる第２の早送りボタン２３３及び第２の巻き戻しボタン２３４とを備える。ユーザはマウス１６を用いてスライダ２３２を移動させることが可能である。ユーザは第２の早送りボタン２３３及び第２の巻き戻しボタン２３４をマウス１６でクリックすることにより動画をそれぞれ早送り、巻き戻しすることができる。
【００２２】
記憶装置１３は、ユーザ名に固有のタイムラグ量である固有タイムラグ量ΔＴｕとユーザ名とを関連付けたユーザデータベースを記憶する。タイムラグ量ΔＴは、ユーザが動画を見て停止したいと思った瞬間から、再生・一時停止ボタン２２１の操作を経て動画が停止する瞬間までのフレーム数である。制御装置１１はユーザデータベースを検索して固有タイムラグ量ΔＴｕを入手する。
【００２３】
動画が再生されているときにユーザが再生・一時停止ボタン２２１を操作すると、制御装置１１は後述する動画停止処理を実行することにより、動画の再生を一時的に停止する。動画は例えば１秒間当たり３０のフレームにより構成される。動画再生が一時的に停止されると、動画の連続する１５フレームが各々縮小されて１５枚の静止画像として表示領域に表示される。各フレームどうしの間隔は例えば１フレームである。１５枚の静止画像は時系列に従い昇順で並べられ、時系列順に矢印で繋がれる。その中心の静止画像２１１は、ユーザが再生・一時停止ボタン２２１を操作した瞬間に再生していたフレームの静止画像ではなく、再生していたフレームからタイムラグ量ΔＴだけ巻き戻したフレームの静止画像（第１の目的画像）である。再生していたフレームからタイムラグ量ΔＴだけ巻き戻したフレームの静止画像（第１の目的画像）を表示することにより、ユーザが望む静止画像を表示することができる。
【００２４】
次に、ユーザ判別処理について図４を用いて説明する。
【００２５】
画像再生装置１０の電源が投入されると、制御装置１１がユーザ判別処理を実行する。まずステップＳ４１において、ログイン処理が実行される。ログイン処理では、表示画面１２にユーザが画像再生装置１０にログインするための表示がなされ、ユーザはキーボード１５を用いてユーザ名を入力し、ログインする。不正利用を防止する必要がある場合は、パスワードを入力させる構成とすることが好ましい。
【００２６】
次のステップＳ４２では、ユーザが画像再生装置１０に登録されているか否かが判断される。判断は、記憶装置１３に記憶されるユーザデータベースにユーザ名が登録されているか否か制御装置１１が検索することにより行われる。ユーザ名がユーザデータベースに登録されていない場合、処理はステップＳ４３に進み、ユーザデータベースに登録されている場合、処理はステップＳ４４に進む。
【００２７】
ステップＳ４３では、予め算出されて記憶装置１３に記憶されている平均タイムラグ量ΔＴaをタイムラグ量ΔＴに代入する。平均タイムラグ量ΔＴaは、一般的なユーザが動画を見て停止したいと思った瞬間から、動画が停止するまでのフレーム数を平均して得られた平均フレーム数である。
【００２８】
ステップＳ４４では、タイムラグ量ΔＴに現在ログインしているユーザ固有の固有タイムラグ量ΔＴｕを代入する。ステップＳ４３及びＳ４４が終了すると、ユーザ判別処理は終了する。
【００２９】
これにより、過去に画像再生装置１０を使用したことのあるユーザは、再度タイムラグ量ΔＴを測定することなく、固有タイムラグ量ΔＴｕを用いることができる。
【００３０】
次に、動画停止処理について図３から５を用いて説明する。ユーザが再生・一時停止ボタン２２１を操作したとき、動画停止処理が実行される。
【００３１】
まずステップＳ５１において、制御装置１１は、ユーザが動画を見て停止したい位置で再生・一時停止ボタン２２１を操作した瞬間から、タイムラグ量ΔＴだけ前に表示されていたフレームを縮小した静止画像（目的画像）と、そのフレームの前後７フレームずつのフレームを縮小した静止画像とを表示画面１２に静止画像として表示する。つまり、合計１５フレームが１５枚の静止画像として表示画面１２に表示される。これにより、ユーザによる選択動作が遅れても、所望の静止画像を中央に表示することが可能になる。
【００３２】
次にステップＳ５２では、表示された１５枚の静止画像から所望の静止画像をユーザが選択したか否かが判断される。選択は、ユーザがマウス１６で静止画像をクリックすることにより行われる。これにより、実際にユーザが選択したときのタイムラグ量とタイムラグ量ΔＴとが異なっても、ユーザは所望の静止画像を選択することが可能になる。
【００３３】
ステップＳ５２において、所望の静止画像が選択されない場合は再度ステップＳ５２が繰り返され、選択された場合はステップＳ５３に処理が移動する。
【００３４】
ステップＳ５３では、選択された静止画像は図２に示されるように拡大表示される。これにより、ユーザは選択した画像を詳細に観察することが可能になる。
【００３５】
ステップＳ５４では、ユーザが学習ボタン１７を操作したかを判断することにより、固有タイムラグ量ΔＴｕを学習するか否かが判断される。ユーザが学習ボタン１７を操作した場合、処理はステップＳ５５に進む。操作しない場合、動画停止処理は終了する。
【００３６】
ステップＳ５５では、制御装置１１はユーザが選択した画像とユーザが再生・一時停止ボタン２２１を操作した瞬間に表示されていたフレームの画像との間のフレーム数を算出し、このフレーム数を固有タイムラグ量ΔＴｕとして記憶装置１３に記憶されるユーザデータベースに登録する。さらに、固有タイムラグ量ΔＴｕをタイムラグ量ΔＴに代入し、タイムラグ量ΔＴを更新、すなわち学習する。そして、動画停止処理が終了する。
【００３７】
これにより、実際にユーザが選択したときのタイムラグ量とタイムラグ量ΔＴとが異なっても、ユーザは所望の静止画像を選択し、観察することが容易になる。また、ユーザが意図したときにユーザ固有の固有タイムラグ量ΔＴｕを記憶することができる。さらに、動画の観察中においてタイムラグ量ΔＴを更新、すなわち学習することにより、常にユーザの使用状況に応じて目的画像を表示することが可能になる。
【００３８】
第２の実施形態について図６を用いて説明する。第１の実施形態と同様の構成については説明を省略する。
【００３９】
動画が再生されているときにユーザが再生・一時停止ボタン２２１を操作すると、制御装置１１は動画停止処理を実行することにより、動画の再生を停止する。ユーザが再生・一時停止ボタン２２１を操作しようと思った瞬間に表示していたフレームからタイムラグ量ΔＴだけ巻き戻したフレームと、その前後１０フレームずつ、合計２１フレームとそれぞれ縮小した静止画像が表示画面１２に表示される。タイムラグ量ΔＴだけ巻き戻したフレームの静止画像は第２の目的画像２１２である。２１枚の静止画像は時系列に従い昇順で並べられる。第２の目的画像２１２は、他の２０枚の静止画像よりも略４倍の表示面積で、２１枚の静止画像の中間に表示される。
【００４０】
これにより、ユーザは所望の静止画像を容易に観察することが可能になる。
【００４１】
第３の実施形態について図７を用いて説明する。第１および第２の実施形態と同様の構成については説明を省略する。
【００４２】
動画が再生されているときにユーザが再生・一時停止ボタン２２１を操作すると、制御装置１１は動画停止処理を実行することにより、動画の再生を停止する。ユーザが再生・一時停止ボタン２２１を操作しようと思った瞬間に再生していたフレームからタイムラグ量ΔＴだけ巻き戻したフレームと、その前後６フレームずつ、合計１５フレームとを縮小した静止画像が表示画面１２に表示される。タイムラグ量ΔＴだけ巻き戻したフレームの静止画像は第３の目的画像２１３である。１５枚の静止画像は時系列に従い昇順で並べられる。第３の目的画像２１３の前後１フレームを縮小した前後静止画像２１４、２１５、及び第３の目的画像２１３は、１５枚の静止画像の中央に表示される。これらの静止画像２１３、２１４、２１５は、他の１２枚の静止画像よりも略４倍の表示面積で表示される。
【００４３】
これにより、ユーザは所望の静止画像とその前後の静止画像を容易に観察することが可能になる。
【００４４】
なお、ユーザ判別処理では、ユーザ名を入力せずに、表示画面１２に登録されているユーザ名の一覧を表示し、ユーザがマウス１６を使用してユーザ名を選択するように構成されても良い。
【００４５】
表示画面１２に表示される静止画像は１フレーム間隔でなくても良く、複数フレーム間隔や、時間間隔であっても良い。
【００４６】
タイムラグ量ΔＴ、及び固有タイムラグ量ΔＴｕはフレーム数でなくても良く、ユーザが動画を見て停止したい位置で再生・一時停止ボタン２２１を操作しようと思った瞬間から、動画が停止するまでの時間を測定して得られた時間量であっても良い。また、平均タイムラグ量ΔＴaはフレーム数でなくても良く、一般的なユーザが動画を見て停止したい位置で再生・一時停止ボタン２２１を操作しようと思った瞬間から、動画が停止するまでの時間を平均して得られた時間量であっても良い。
【００４７】
ユーザ判別処理のステップＳ４３において、タイムラグ量ΔＴは０、又はユーザデータベースに登録されているユーザの固有タイムラグ量ΔＴｕの平均が代入されても良い。
【００４８】
動画停止処理のステップＳ５４において、表示画面１２に固有タイムラグ量ΔＴｕを学習するか否かをユーザに問うダイアログを表示し、ユーザがキーボード１５又はマウス１６を用いて選択することにより学習するか否かを判断しても良い。
【００４９】
動画停止処理のステップＳ５５において、記憶装置１３に過去数回分の固有タイムラグ量ΔＴｕを記憶しておき、記憶されている複数の固有タイムラグ量ΔＴｕと今回算出された固有タイムラグ量ΔＴｕとの平均を求めることにより新たな固有タイムラグ量ΔＴｕを算出しても良い。これにより、固有タイムラグ量ΔＴｕの精度を向上させることが可能になる。
【００５０】
静止画像は昇順でなく、時系列による降順で並べられても良い。
【００５１】
本発明による画像再生装置１０は動画ではなく、静止画像を連続的に表示してもよい。連続的に表示される複数の静止画像から任意の静止画像を選択することが容易になる。
【図面の簡単な説明】
【００５２】
【図１】第１の実施形態による画像再生装置のブロック図である。
【図２】ログイン処理を示したフローチャートである。
【図３】画像選択処理を示したフローチャートである。
【図４】画像再生装置の表示画面を模式的に示した図である。
【図５】画像再生装置の表示画面を模式的に示した図である。
【図６】第２の実施形態による画像再生装置の表示画面を模式的に示した図である。
【図７】第３の実施形態による画像再生装置の表示画面を模式的に示した図である。
【符号の説明】
【００５３】
１０  画像再生装置
１１  制御装置
１２  表示画面
１３  記憶装置
１４  電源スイッチ
１５  キーボード
１６  マウス
１７  学習ボタン
【図１】
2009130683.tif 000003
【図２】
2009130683.tif 000004
【図３】
2009130683.tif 000005
【図４】
2009130683.tif 000006
【図５】
2009130683.tif 000007
【図６】
2009130683.tif 000008
【図７】
2009130683.tif 000009
【手続補正書】
【提出日】平成20年11月4日(2008.11.4)
【手続補正１】
【補正対象書類名】明細書
【補正対象項目名】００５２
【補正方法】変更
【補正の内容】
【００５２】
【図１】第１の実施形態による画像再生装置のブロック図である。
【図２】画像再生装置の表示画面を模式的に示した図である。
【図３】画像再生装置の表示画面を模式的に示した図である。
【図４】ユーザ判別処理を示したフローチャートである。
【図５】動画停止処理を示したフローチャートである。
【図６】第２の実施形態による画像再生装置の表示画面を模式的に示した図である。
【図７】第３の実施形態による画像再生装置の表示画面を模式的に示した図である。